(57)【要約】【課題】消費電流を削減することができる携帯端末装置の表示システムを提供する。【解決手段】本発明の一形態に係る携帯端末装置の表示システムは、携帯端末装置の表面に露出する第１の表示部１と、携帯端末装置の裏面に露出し、第１の表示部１より狭い表示領域を有する第２の表示部２と、第１及び第２の表示部を制御する制御部４と、使用者が携帯端末装置の入力部８の操作を行っていない時間を計測するタイマー部３と、を備え、制御部４は、使用者が入力部８の操作を行っていない時間が閾値以上であると、第１の表示部１を消灯状態とし、第１の表示部１が点灯状態の際に表示される情報の一部を第２の表示部２に表示する。【選択図】図１
2012222395.tif 000002
【特許請求の範囲】
【請求項１】
携帯端末装置の表面に露出する第１の表示部と、
前記携帯端末装置の裏面に露出し、前記第１の表示部より狭い表示領域を有する第２の表示部と、
前記第１及び第２の表示部を制御する制御部と、
使用者が前記携帯端末装置の入力部の操作を行っていない時間を計測するタイマー部と、を備え、
前記制御部は、前記使用者が前記入力部の操作を行っていない時間が閾値以上であると、前記第１の表示部を消灯状態とし、前記第１の表示部が点灯状態の際に表示される情報の一部を前記第２の表示部に表示する携帯端末装置の表示システム。
【請求項２】
前記第１の表示部を消灯状態から点灯状態へ切り替える起動部をさらに備え、
前記制御部は、前記起動部の操作に基づいて前記第１の表示部を点灯状態とし、前記第１の表示部が消灯状態の際に前記第２の表示部に表示した情報を前記第１の表示部に表示する請求項１に記載の携帯端末装置の表示システム。
【請求項３】
前記制御部は、メール受信有無、着信有無、時刻、電池残量の少なくとも１つの情報を前記第２の表示部に表示する請求項１又は２に記載の携帯端末装置の表示システム。
【請求項４】
前記携帯端末装置は、ストレート形状又はスライド形状である請求項１乃至３のいずれか１項に記載の携帯端末装置の表示システム。
【請求項５】
請求項１乃至４のいずれか１項に記載の携帯端末装置の表示システムを備える携帯端末装置。
【請求項６】
表面に露出する第１の表示部と、裏面に露出する第２の表示部と、を備える携帯端末装置の表示方法であって、
前記第１の表示部が消灯状態の際に、前記第１の表示部が点灯状態の際に表示される情報の一部を前記第２の表示部に表示する携帯端末装置の表示方法。
【請求項７】
前記第１の表示部を点灯状態とし、前記第１の表示部が消灯状態の際に前記第２の表示部に表示した情報を前記第１の表示部に表示する請求項６に記載の携帯端末装置の表示方法。
【発明の詳細な説明】
【技術分野】
【０００１】
本発明は、携帯端末装置の表示システム及び表示方法、携帯端末装置に関し、特に表面に表示部が露出する携帯端末装置の表示システム及び表示方法、携帯端末装置に関する。
【背景技術】
【０００２】
近年、携帯電話などの携帯端末装置は、キーボードと表示部を備え、持ち運ぶときに小さくできる特徴を持つ折り畳み形状のものが主流となっている。しかしながら、ここ数年、表示部の表示領域を広くしたスマートフォンの使用者が増えてきている。これらスマートフォンは、表示部を装置サイズいっぱいに広く配置しており、折畳みができず、常に表示部が露出している、例えばストレート形状が主流となっている。
【０００３】
ここで、図５Ａ及びＢは、一般的なスマートフォンの構成を示している。スマートフォンは、筐体１０１にタッチパネル等を有する入力部８、入力部８の下方に積層される液晶表示装置等を有する表示部１、受話口であるレシーバ９、消灯状態となった表示部１を起動させる際に操作される起動部６、ＣＣＤ（Charge Coupled Devices）やＣＭＯＳ（Complementary Metal Oxide Semiconductor）等を有する撮像部１０、図示を省略した送話口であるスピーカ、携帯電話としての機能を実現させる制御基板等が搭載されている。
【０００４】
図６は、当該スマートフォンの動作タイミングチャート図である。一定時間入力部８からの入力が無いと、表示部１が消灯状態となり、使用者が現在時刻を見る等の理由により、起動部６を操作すると、表示部１が点灯状態となる。そして、使用者が入力部８を介してメールを打つなどの操作を行っている間は、表示部１は点灯状態のままとなり、消費電流が多い状態となる。使用者が入力部８を介してメールを打つなどの操作が終了して一定時間が経過すると、表示部１は消灯状態となり、消費電流が少ない状態となる。その後、メールを受信すると、表示部１は点灯状態となり、再び、消費電流が多い状態となる。
【０００５】
ところで、特許文献１には、折り畳み形状の携帯端末装置において、折り畳んだ際に内側に配置される面にメイン表示部を備え、折り畳んだ際に外側に配置される面にサブ表示部を備える携帯端末装置が開示されている。
【０００６】
特許文献２には、スライド形式の携帯端末装置において、下側に配置される筐体に大型表示部と小型表示部とを備え、上側に配置される筐体をスライドさせた際に大型表示部は隠蔽され、小型表示部は露出する携帯端末装置が開示されている。
【０００７】
但し、特許文献１及び２の携帯端末装置は、メイン表示部や大型表示部が常に露出する形状でない。
【先行技術文献】
【特許文献】
【０００８】
【特許文献１】特開２００４−２１２３８号公報
【特許文献２】特開２００８−６１１８５号公報
【発明の概要】
【発明が解決しようとする課題】
【０００９】
使用者が頻繁に確認したい情報として、メール受信有無、着信有無、時刻、電池残量や受信電波状況などの情報があるが、これらの情報を表示するための表示領域は比較的狭い範囲で済む。しかしながら、例えばストレート形状の端末の場合、情報を表示させるには大きなサイズの表示部を動作させねばならず、図６に示すように、消費電流が多くなる。
【００１０】
本発明の目的は、上述した課題を解決する携帯端末装置の表示システム及び表示方法、携帯端末装置を提供することにある。
【課題を解決するための手段】
【００１１】
本発明の一形態に係る携帯端末装置の表示システムは、携帯端末装置の表面に露出する第１の表示部と、前記携帯端末装置の裏面に露出し、前記第１の表示部より狭い表示領域を有する第２の表示部と、前記第１及び第２の表示部を制御する制御部と、使用者が前記携帯端末装置の入力部の操作を行っていない時間を計測するタイマー部と、を備え、前記制御部は、前記使用者が前記入力部の操作を行っていない時間が閾値以上であると、前記第１の表示部を消灯状態とし、前記第１の表示部が点灯状態の際に表示される情報の一部を前記第２の表示部に表示する。
【００１２】
本発明の一形態に係る携帯端末装置は、上述の表示システムを備える。
【００１３】
本発明の一形態に係る携帯端末装置の表示方法は、表面に露出する第１の表示部と、裏面に露出する第２の表示部と、を備える携帯端末装置の表示方法であって、前記第１の表示部が消灯状態の際に、前記第１の表示部が点灯状態の際に表示される情報の一部を前記第２の表示部に表示する。
【発明の効果】
【００１４】
本発明によれば、消費電流を削減することができる携帯端末装置の表示システム及び表示方法、携帯端末装置を提供することができる。
【図面の簡単な説明】
【００１５】
【図１】本発明の実施の形態に係る携帯端末装置の表示システムを示すブロック図である。
【図２】（Ａ）は本発明の実施の形態に係る携帯端末装置の表側を概略的に示す図である。（Ｂ）は本発明の実施の形態に係る携帯端末装置の裏側を概略的に示す図である。
【図３】本発明の実施の形態に係る携帯端末装置の動作タイミングチャート図である。
【図４】（Ａ）は本発明の実施の形態に係る異なる携帯端末装置の表側を概略的に示す図である。（Ｂ）は本発明の実施の形態に係る異なる携帯端末装置の裏側を概略的に示す図である。
【図５】（Ａ）は関連する携帯端末装置の表側を概略的に示す図である。（Ｂ）は関連する携帯端末装置の裏側を概略的に示す図である。
【図６】関連する携帯端末装置の動作タイミングチャート図である。
【発明を実施するための形態】
【００１６】
本発明の実施の形態に係る携帯端末装置の表示システム及び表示方法、携帯端末装置について説明する。但し、本発明が以下の実施の形態に限定される訳ではない。また、説明を明確にするため、以下の記載及び図面は、適宜、簡略化されている。
【００１７】
図１は、本実施の形態の携帯端末装置の表示システムを示すブロック図である。図２Ａ及びＢは、当該表示システムを搭載した携帯端末装置の表側及び裏側を概略的に示す図である。
【００１８】
なお、本実施の形態の携帯端末装置は、図５Ａ及びＢに示したスマートフォンと略同様の構成とされているため、重複する説明は省略するが、ストレート形状のスマートフォンである。但し、携帯端末装置は、スマートフォンに限定されず、携帯電話又はＰＨＳ（Personal Handyphone System）又はＰＤＡ（Personal Data Assistance，Personal Digital Assistants）等でも良い。
【００１９】
表示システムは、第１の表示部１、第２の表示部２、メモリ部３、制御部４、タイマー部５、起動部６を備えている。第１の表示部１は、液晶表示装置等の平面ディスプレイ装置を備えている。第１の表示部１は、携帯端末装置のメイン表示部として機能し、使用者の操作を促す情報やメモリ部３から読み出した情報等を表示する。第１の表示部１は、図２Ａに示すように、筐体７の上面（携帯端末装置の表面）の略全領域と等しい表示領域を有する。第１の表示部１は、筐体７の上面側に形成された開口部７ａから露出する。第１の表示部１は、制御部４に制御される。この第１の表示部１は、携帯端末装置の入力部８からの入力が一定時間ないと、点灯状態から消灯状態に切り替わるが、詳細は後述する。
【００２０】
第２の表示部２も、液晶表示装置等の平面ディスプレイ装置を備えている。第２の表示部２は、携帯端末装置のサブ表示部として機能し、例えば第１の表示部１が点灯状態の際に表示される情報の一部であるメール受信有無、着信有無、時刻、電池残量等の少なくとも１つの情報を表示する。第２の表示部２は、第１の表示部１よりも表示領域が狭い。詳細には、第２の表示部２は、例えばメール受信有無、着信有無、時刻、電池残量等の少なくとも１つの情報を表示することができる、最小限度の表示領域を有している。第２の表示部２は、図２Ｂに示すように、筐体７の下面（携帯端末装置の裏面）側に形成された開口部７ｂから露出する。第２の表示部２は、制御部４に制御される。
【００２１】
メモリ部３は、携帯端末装置の機能を実現するためのプログラム、電話の通話履歴、メールの履歴、アドレス帳、第１の表示部１を消灯状態とする時間等の情報が格納されている。
【００２２】
制御部４は、使用者の入力部８からの操作に基づいて、メモリ部３から読み出したプログラムを実行させ、携帯端末装置としての機能を実現させる。また、制御部４は、第１及び第２の表示部１及び２を制御するが、詳細は後述する。
【００２３】
ここで、入力部８は、第１の表示部１の上方に積層されている。入力部８は、マトリックススイッチ、抵抗膜方式、表面弾性波方式、静電容量方式等のタッチパネル等を備えている。入力部８は、使用者がタッチパネルを操作すると、当該タッチパネルからの入力情報を検出し、入力情報を示す信号を制御部４に出力する。制御部４は、入力された信号に基づいて表示の更新など処理を行う。
【００２４】
タイマー部５は、使用者が入力部８を介して操作を行わなくなってからの時間を計測する。詳細には、制御部４は、計測開始の指示信号をタイマー部５に出力する。同時に、制御部４は、メモリ部３から第１の表示部１を消灯状態とする時間（閾値）情報を読み出し、当該時間情報を示す信号をタイマー部５に出力する。タイマー部５は、指示信号に基づいて経過時間の計測を開始し、第１の表示部１を消灯状態とする時間が経過すると、制御部４に時間が経過した旨の信号を出力する。制御部４は、入力された信号に基づいて、第１の表示部１を点灯状態から消灯状態に切り替える。このとき、制御部４は、消費電流を低減した省電力状態に移行する制御を行う。このように、省電力状態に移行することで、使用者が操作しない状態での消費電流の低減を図っている。
【００２５】
起動部６は、第１の表示部１を消灯状態から点灯状態に切り替える。詳細には、使用者が起動部６を操作すると、起動部６は操作信号を制御部４に出力する。制御部４は、入力される信号に基づいて、第１の表示部１を消灯状態から点灯状態に切り替える。
【００２６】
このような表示システムは、第１の表示部１が消灯状態の際に、制御部４がメール受信有無、着信有無、時刻、電池残量等の少なくとも１つの情報を第２の表示部２に表示させる。一方、使用者が起動部６を操作して第１の表示部１が消灯状態から点灯状態に切り替わると、第２の表示部２に表示していた、メール受信有無、着信有無、時刻、電池残量等の少なくとも１つの情報を含む情報を表示する。
【００２７】
図３は、本実施の形態の携帯端末装置の動作タイミングチャート図の一例である。本実施の形態の携帯端末装置は、メール受信までは図５Ａ及びＢに示すスマートフォンと同様であるが、メール受信があった場合、上述のようにメールの受信情報を第２の表示部２に表示する。第２の表示部２は、第１の表示部１に対して表示領域が狭く、図４に示すように、消費電流が少ないので、メール受信有無情報などの表示中の消費電流を減らすことができ、ひいては携帯端末装置の消費電流を削減することができる。
【００２８】
ここで、携帯端末装置がストレート形状の場合、携帯端末装置の表面側と裏面側のどちらも平らな形状になることが多く、例えば鞄の中に入れて置いた時など、表面と裏面の区別がわかり難い。このため、使用者がメール受信有無などを確認するために鞄から取り出した時に、携帯端末装置の裏面側を表と誤認して取り出してしまうと、その後、携帯端末装置をひっくり返してメール受信を確認する必要がある。本実施の形態の表示システムは、裏面側の第２の表示部２にメール受信有無、着信有無、時刻、電池残量等の少なくとも１つの情報を表示するので、使用者がメール受信有無、着信有無、時刻、電池残量等を確認する際に、携帯端末装置の裏面側を表と誤認しても、携帯端末装置をひっくり返す必要がない。また、携帯端末装置の表面側を表にして取り出した場合は、使用者は起動部６を操作することで第１の表示部１にメール受信有無、着信有無、時刻、電池残量等の少なくとも１つの情報を含む情報を表示するため、携帯端末装置をひっくり返す必要がない。そのため、携帯端末装置の操作性を向上させることができる。
【００２９】
本発明は上記実施の形態に限られたものではなく、趣旨を逸脱しない範囲で適宜変更することが可能である。
【００３０】
上記実施の形態の第２の表示部２は、液晶表示装置を備える構成とされているが、この限りでない。図４Ａ及びＢに示すように、第２の表示部２の表示領域にＬＥＤ（Light Emitting Diode）を配置した構成でも良い。
【００３１】
上記実施の形態の携帯端末装置は、ストレート形状としているが、この限りでない。携帯端末装置の形状は、スライド形状でも良く、要するに携帯端末装置の表側に第１の表示部が露出し、携帯端末装置の裏側に第２の表示部が露出する構成であれば良い。
【符号の説明】
【００３２】
１  第１の表示部
２  第２の表示部
３  メモリ部
４  制御部
５  タイマー部
６  起動部
７  筐体
７ａ、７ｂ  開口部
８  入力部
９  レシーバ
１０  撮像部
１０１  筐体
【図１】
2012222395.tif 000003
【図２】
2012222395.tif 000004
【図３】
2012222395.tif 000005
【図４】
2012222395.tif 000006
【図５】
2012222395.tif 000007
【図６】
2012222395.tif 000008